(57)【要約】【課題】床表面の結露を防止することのできる床下空調システムを提供することを課題とする。【解決手段】温度が調節された空気を床下空間Ｓ２に送るシステムであって、空調機２と、居住空間Ｓ１内の空気を吸い込むファンユニット３と、空調機２から吹き出される空気とファンユニット３から吹き出される空気とを混合する混合チャンバ４と、を備え、混合チャンバ４内の空気を床下空間Ｓ２内に送る。【選択図】図１
2012007814.tif 000002
【特許請求の範囲】
【請求項１】
温度が調節された空気を床下空間に送るシステムであって、
空調機と、
ファンを有しており居住空間内の空気を吸い込むファンユニットと、
前記空調機から吹き出される空気と前記ファンユニットから吹き出される空気とを混合する混合チャンバと、を備え、
前記混合チャンバ内の空気を前記床下空間内に送る、床下空調システム。
【請求項２】
前記混合チャンバと床下空間とを連通させるダクトをさらに備えた、床下空調システム。
【請求項３】
前記床下空間内の空気を居住空間内へと取り入れるための吹き出し口が床に形成された、請求項１又は２に記載の床下空調システム。
【請求項４】
前記ファンの回転を制御するコントローラをさらに備えた、請求項１〜３のいずれかに記載の床下空調システム。
【発明の詳細な説明】
【技術分野】
【０００１】
本発明は、床下空調システムに関するものである。
【背景技術】
【０００２】
居住空間を快適にするために種々の空調システムが開発されているが、その内の１つの空調システムとして、床下空間に温度が調節された空気（熱風や温風、冷風など）を供給することで床自体を暖めたり冷却したりする、いわゆる床下空調システムが近年提案されている。例えば、特許文献１には、空調機によって加熱又は冷却された空気を床下空間内に送り、この加熱又は冷却された空気によって床を加熱又は冷却する床下空調システムが開示されている。
【先行技術文献】
【特許文献】
【０００３】
【特許文献１】特開２０００−３１００３２号公報
【発明の概要】
【発明が解決しようとする課題】
【０００４】
ところで、上述したような床下空調システムの空調機が冷房運転を行う際、床下空間内に送り込まれる空気の温度は、一般的に約５〜２０℃である。このため、床表面の温度が居住空間内の空気の露点よりも低くなり、この結果、床表面が結露することがあった。そこで、本発明は床表面の結露を防止することのできる床下空調システムを提供することを課題とする。
【課題を解決するための手段】
【０００５】
本発明に係る床下空調システムは、温度が調節された空気を床下空間に送るシステムであって、空調機と、ファンを有しており、居住空間内の空気を吸い込むファンユニットと、前記空調機から吹き出される空気と前記ファンユニットから吹き出される空気とを混合する混合チャンバと、を備え、前記混合チャンバ内の空気を前記床下空間内に送るように構成されている。
【０００６】
この床下空調システムによれば、空調機によって冷却された空気をそのまま床下空間に送るのではなく、空調機が吹き出す冷却された空気と、ファンユニットが吹き出す室温の空気とを混合チャンバ内において一旦混合した後に床下空間内に送るため、床を過度に冷却することがない。このため、床表面が居住空間内の空気の露点以下となることを防ぎ、その結果、床表面が結露するといった問題を防止することができる。
【０００７】
上記床下空調システムは、混合チャンバ内の空気を床下空間内に送るために、混合チャンバと床下空間とを連通させるダクトをさらに備えていることが好ましい。このダクトは、壁面内に埋設することが好ましく、また、外周を断熱材によって覆うことが好ましい。
【０００８】
また、床下空間の空気を居住空間内へと取り入れるために、吹き出し口を床に形成することが好ましい。
【０００９】
また、混合チャンバ内に送り込む空気の量を調節するために、ファンの回転を制御するコントローラをさらに備えていることが好ましい。
【発明の効果】
【００１０】
本発明に係る床下空調システムによれば、床表面の結露を防止することができる。
【図面の簡単な説明】
【００１１】
【図１】図１は本実施形態に係る床下空調システムの概要図である。
【発明を実施するための形態】
【００１２】
以下、本発明に係る床下空調システムの実施形態について図面を参照しつつ説明する。なお、図中の矢印は空気の流れを示している。
【００１３】
図１に示すように、本実施形態では床下空調システムをある建造物の一室に設置している。この床下空調システム１は、空調機２と、ファンユニット３と、混合チャンバ４と、ダクト５とを主な構成としている。なお、この建造物の一室は、居住空間Ｓ１と、床下空間Ｓ２と、天井裏空間Ｓ３から構成されている。
【００１４】
空調機２は、空気を吸い込む吸い込み口と、熱交換器と、空気を吹き出す吹き出し口とを備えており、吸い込み口から吸い込んだ空気を熱交換器内を流れる熱媒体によって冷却し、吹き出し口から吹き出す構成であり、市販されている公知の空調機を使用することができる。この空調機２は、吸い込み口が下方を向くように吊り下げられた状態で天井裏空間Ｓ３内に設置されている。なお、空調機２は、その吸い込み口が天井から居住空間Ｓ１内を望むように設置されているため、空調機２は居住空間Ｓ１内の空気を吸い込むことができる。また、特に限定されるものではないが、冷房運転時において、空調機２は一般的に、空気吸い込み量は約１００〜１０００m3/hであり、吹き出し空気温度は約５〜２０℃である。上述した空調機２は暖房運転も行うことができ、この場合は熱交換器内を流れる熱媒体によって空気を加熱する。空調機２は室内機であって、室外に設置された室外機（図示省略）と接続されている。
【００１５】
ファンユニット３は、吸い込み口及び吹き出し口を有する箱体の内部にファンが設置されたものであり、このファンは駆動源によって回転駆動される。このファンユニット３は空調機２と同様に天井裏空間Ｓ３内に吊り下げられた状態で設置されている。ファンユニット３の吸い込み口が居住空間Ｓ１内の空気を吸い込むよう、天井には吸気口が形成されている。ファンユニット３のファンの回転数は、コントローラによって制御することが可能である。例えば、温度センサによって、空調機２の吹き出し空気の温度を測定し、この温度が予め設定した温度よりも低くなれば、コントローラは、ファンの回転数を増加させ、逆になればファンの回転数を減少させるように制御する。
【００１６】
混合チャンバ４は、断熱材によって覆われた箱体に２つの吸い込み口と１つの吹き出し口とが形成されたものであり、空調機２やファンユニット３と同様に、天井裏空間Ｓ３内に吊り下げられた状態で設置されている。混合チャンバ４の第１の吸い込み口は空調機２の吹き出し口と連結しており、混合チャンバ４の第２の吸い込み口はファンユニット３の吹き出し口と連結している。そして、空調機２から送られる冷却された空気と、ファンユニット３から送られる室温程度の空気とを混合チャンバ４の内部で混合する。なお、混合チャンバ４は単なる箱体であって、内部はただ空間が広がっているのみであるが、より効率的に混合できるように撹拌手段を設けることも可能である。また、混合チャンバ４の各吸い込み口と空調機２やファンユニット３の吹き出し口との連結は、ダクト等を介して間接的に連結されていてもよいし、ダクトなどを介さずに直接連結されていてもよい。
【００１７】
ダクト５は、混合チャンバ４の吹き出し口と連結しており、床下空間Ｓ２内まで延びている。このダクト５は壁面内に埋設されており、外周が断熱材によって覆われている。また、ダクト５は、特に限定されるものではないが、その内径を約３００mm以上とすることが好ましい。
【００１８】
次に、以上の構成を備えた床下空調システム１の作動について説明する。
【００１９】
空調機２は、冷房運転を開始すると、居住空間Ｓ１内の空気を吸い込み口から吸い込んで冷却し、その冷却された空気を吹き出し口から吹き出して混合チャンバ４内に送り込む。また、これと並行して、ファンユニット３を運転させることで、ファンユニット３は、ファンが回転して居住空間Ｓ１内の空気を吸い込み口から内部に取り込み、これを吹き出し口から吹き出して混合チャンバ４内に送り込む。
【００２０】
このように空調機２から送り込まれた冷却された空気と、ファンユニット３から送り込まれた室温の空気とが、混合チャンバ４内にて混合されてダクト５を介して床下空間Ｓ２内に供給されて床を冷却する。ここで、床下空間Ｓ２内には、空調機２によって冷却された空気が直接送り込まれるのではなく、混合チャンバ４内において室温の空気と混合したものが送り込まれるため、床を過度に冷却することがなく、床表面が結露することを防止している。なお、上述した混合チャンバ４から床下空間Ｓ２内に送られる空気の温度は、居住空間Ｓ１内の空気の温度や湿度によっても左右されるため一概に決定することはできないが、通常、約５〜２０℃程度とすることで床表面の結露を防止することができる。
【００２１】
以上のように床下空間Ｓ２内を流れて床を冷却させた空気は、床に形成された吹き出し口１１から居住空間Ｓ１内へと供給され、居住空間Ｓ１内を冷房する。
【００２２】
以上、本発明の実施形態について説明したが、本発明はこれらに限定されるものではなく、本発明の趣旨を逸脱しない限りにおいて種々の変更が可能である。
【００２３】
例えば、空調機２、ファンユニット３、混合チャンバ４は、上記実施形態では天井裏空間Ｓ３内に設置したが、特にこの設置場所は限定されるものではなく、居住空間Ｓ１内や、床下空間Ｓ２内等種々の場所に設置することができる。なお、これらは同一の空間内に設置することが好ましいが、別々の空間内に設置することも可能である。
【００２４】
また、上記床下空調システム１で暖房運転を行う際は、ファンユニット３を停止させ、空調機２によって加熱された空気が、混合チャンバ４やダクト５を経由して床下空間Ｓ２内に送られる。
【実施例】
【００２５】
空調機２による居住空間Ｓ１内の空気の設定温度を２６℃、設定相対湿度を５０％とすると、この居住空間Ｓ１内の空気の露点温度は１４．８℃であるが、安全をみて１５℃とする。
【００２６】
空調機２の吹き出し口から吹き出される空気の温度が１０℃であり、空調機２の吹き出し量が７９０m3/h（ｍａｘ）のとき、混合チャンバ４の吹き出し口から吹き出される空気の温度は結露が発生しないように１５℃以上に保つ必要がある。この温度を保つためにファンユニット３が居住空間Ｓ１から吸い込む吸い込み量Ａ(m3/h)は、以下の式から
10℃ × 790m3/h + 26℃ × A m3/h ≧ 15℃ × (790m3/h + A m3/h)
Ａ ≧ ３５９m3/h
となるため、ファンユニット３の吸い込み量Ａは４００m3/hとする。
【００２７】
また、上記条件の内、空調機２が吹き出す空気の温度を１３℃とすると、結露が発生しないためのファンユニット３が吸い込む吸い込み量Ｂ(m3/h)は、以下の式から、
13℃ × 790m3/h + 26℃ × B m3/h ≧ 15℃ × (790m3/h + B m3/h)
Ｂ ≧ １４４m3/h
となるため、ファンユニット３の吸い込み量Ｂは１５０m3/hとする。
【符号の説明】
【００２８】
１    床下空調システム
２    空調機
３    ファンユニット
４    混合チャンバ
５    ダクト
Ｓ１  居住空間
Ｓ２  床下空間
【図１】
2012007814.tif 000003